(57)【要約】【課題】容器とコンプレッサとを備えたパンク修理キットであって、コンプレッサの電源ケーブルを容易に収納可能にしたパンク修理キットを提供する。【解決手段】パンク修理液を収容する容器１０と圧縮空気を供給するコンプレッサ２０とを有し、コンプレッサ２０は使用時に電源と接続するための電源ケーブル２２を備えて、電源ケーブル２２は一端がコンプレッサ本体２１に接続されたケーブル本体２２Ａとこのケーブル本体２２Ａの他端に設けられた接続端子２２Ｂとからなるパンク修理キットにおいて、ケーブル本体２２Ａを巻き取る巻取具４０を備えるようにする。【選択図】図３
2018015956.tif 000002
【特許請求の範囲】
【請求項１】
パンク修理液を収容する容器と圧縮空気を供給するコンプレッサとを有し、該コンプレッサは使用時に電源と接続するための電源ケーブルを備え、該電源ケーブルは一端が前記コンプレッサに接続されたケーブル本体と該ケーブル本体の他端に設けられた接続端子とからなるパンク修理キットにおいて、
前記ケーブル本体を巻き取るための巻取具を備えたことを特徴とするパンク修理キット。
【請求項２】
前記コンプレッサが筐体に収納されており、該筐体が前記ケーブル本体を巻き取った状態の前記巻取具を収容するための収容部を備えたことを特徴とする請求項１に記載のパンク修理キット。
【請求項３】
前記巻取具が前記接続端子を着脱自在に保持する保持部を備えたことを特徴とする請求項１〜２のいずれかに記載のパンク修理キット。
【請求項４】
前記巻取具が前記ケーブル本体に着脱自在に取り付けられていることを特徴とする請求項１〜３のいずれかに記載のパンク修理キット。
【請求項５】
前記巻取具により巻き取られる範囲を示す目印を前記ケーブル本体に付与したことを特徴とする請求項１〜４のいずれかに記載のパンク修理キット。
【発明の詳細な説明】
【技術分野】
【０００１】
本発明は、容器とコンプレッサとを備えたパンク修理キットに関し、更に詳しくは、コンプレッサの電源ケーブルを容易に収納可能にしたパンク修理キットに関する。
【背景技術】
【０００２】
近年、車両に装着されたタイヤがパンクした際に、タイヤバルブを介してタイヤ内にパンク修理液を注入することにより、パンクを応急的に修理することが行われている。このような応急的な修理を可能にする装置としては、例えば、パンク修理キットが用いられる（例えば、特許文献１を参照）。パンク修理キットを用いた場合、車両にスペアタイヤを搭載する必要が無くなり、省資源化や車両の軽量化が可能になる。また、車両のスペアタイヤ搭載スペースを別の目的に活用できるという利点もある。
【０００３】
一般的に、このようなパンク修理キットは、パンク修理液が収容される容器と圧縮空気を供給するコンプレッサとを備える。コンプレッサは、容器内のパンク修理液をホースを通じて圧送するためや、修理を終えたタイヤに空気を充填するために用いられる。いずれの場合であっても、パンク修理キットに用いられるコンプレッサは、シガーソケット等の外部電源から電力を得るための電源ケーブルを備える。従来のパンク修理キットでは、このような電源ケーブルは例えばコンプレッサを収納した筐体の背面等に設けられた凹部（収納部）に収められているが、電源ケーブルは通常３ｍ程度の長さを有するため、パンク修理作業後に使用者が再度この収納部に電源ケーブルを収納することが困難であるという問題があった。勿論、このような収納部の容積を大きくすれば電源ケーブルの収納は容易になるが、パンク修理キットやコンプレッサは車載するにあたって小型であることが要求されるため、収容部を大型化することはできず、電源ケーブルの収納を容易にするための別の対策が求められている。
【先行技術文献】
【特許文献】
【０００４】
【特許文献１】特開２０１３‐２２０６２２号公報
【発明の概要】
【発明が解決しようとする課題】
【０００５】
本発明の目的は、容器とコンプレッサとを備えたパンク修理キットであって、コンプレッサの電源ケーブルを容易に収納可能にしたパンク修理キットを提供することにある。
【課題を解決するための手段】
【０００６】
上記目的を達成するための本発明のパンク修理キットは、パンク修理液を収容する容器と圧縮空気を供給するコンプレッサとを有し、該コンプレッサは使用時に電源と接続するための電源ケーブルを備え、該電源ケーブルは一端が前記コンプレッサに接続されたケーブル本体と該ケーブル本体の他端に設けられた接続端子とからなるパンク修理キットにおいて、前記ケーブル本体を巻き取るための巻取具を備えたことを特徴とする。
【発明の効果】
【０００７】
本発明では、上述のように巻取具を備えているので、使用者は電源ケーブルを巻取具に対して巻き付けることで、電源ケーブルを容易にまとめることができる。このとき、巻き取られた電源ケーブルは、巻取具に対して巻き取られた所定の巻き取り状態に収まるので、従来のように使用者が任意の方法で電源ケーブルを収納する場合に比べて、電源ケーブルを容易にコンパクトにまとめることが可能になる。
【０００８】
本発明では、コンプレッサが筐体に収納されており、筐体がケーブル本体を巻き取った状態の巻取具を収容するための収容部を備えた仕様にすることもできる。この仕様では、パンク修理キットの使用後に、電源ケーブルが巻き取られて収容部に収納された状態（即ち、新品時と同じ状態）に復元することが容易になり、パンク修理キット自体の収納性を高めることができる。
【０００９】
本発明では、巻取具が接続端子を着脱自在に保持する保持部を備えた仕様にすることもできる。この仕様では、接続端子を含んだ電源ケーブル全体を所定のサイズにまとめて収容することが可能になり、電源ケーブルの収納を容易にしながら、パンク修理キット自体の収納性を高めるには有利になる。
【００１０】
本発明では、巻取具が前記ケーブル本体に着脱自在に取り付けられている仕様にすることもできる。この仕様では、パンク修理キットの使用時（即ち、巻取具を使用していないとき）に巻取具をケーブル本体に係止することができ、巻取具の紛失を防止することができる。
【００１１】
本発明では、ケーブル本体を巻取具に巻き取った際に巻取具に巻き取られる範囲を示す目印を前記ケーブル本体に付与した仕様にすることもできる。この仕様では、ケーブル本体のどの領域をどの程度巻き取るべきかが明確になり、使用者が電源ケーブルを適切な巻取り状態にすることが容易になる。
【図面の簡単な説明】
【００１２】
【図１】パンク修理液キットの一例を示す説明図である。
【図２】パンク修理液キットの別の例を示す説明図である。
【図３】本発明の実施形態からなるパンク修理キットに含まれる巻取具を示す模式図であり、（ａ）は電源コードを巻き取る前の状態を示し、（ｂ）は電源コードを巻き取った状態を示す。
【図４】本発明の別の実施形態からなるパンク修理キットに含まれる巻取具を示す模式図であり、（ａ）は電源コードを巻き取る前の状態を示し、（ｂ）は電源コードを巻き取った状態を示す。
【図５】本発明の別の実施形態からなるパンク修理キットに含まれる巻取具を示す模式図であり、（ａ）は電源コードを巻き取る前の状態を示し、（ｂ）は電源コードを巻き取った状態を示す。
【図６】本発明の別の実施形態からなるパンク修理キットに含まれるコンプレッサおよび巻取具を示す模式図である。
【図７】本発明の別の実施形態からなるパンク修理キットに含まれる巻取具を示す模式図である。
【図８】本発明の別の実施形態からなるパンク修理キットに含まれるコンプレッサおよび巻取具を示す模式図である。
【図９】本発明の別の実施形態からなるパンク修理キットに含まれるコンプレッサおよび巻取具を示す模式図であり、（ａ）は電源コードの巻き取り作業中（または巻き出し作業中）の状態を示し、（ｂ）は電源コードを巻き取った巻取具をコンプレッサ（筐体）内に収納した状態を示す。
【発明を実施するための形態】
【００１３】
以下、本発明の構成について添付の図面を参照しながら詳細に説明する。
【００１４】
図１に例示するように、本発明のパンク修理キット１は、容器１０とコンプレッサ２０とホース３０とを備える。図１の例では、容器１０は、内部にパンク修理液を収容する円筒状の容器本体１１と、この容器本体１１に装着され、後述のホース３０を接続可能なキャップ１２とで構成されている。ホース３０は、容器１０とタイヤＴ（タイヤバルブＴｂ）とを接続するホース３１と、容器１０とコンプレッサ２０とを接続するホース３２とを含む。図１の例のコンプレッサ２０は容器１０内のパンク修理液をホース３０を通じて圧送するための圧縮空気を供給するものであり、ポンプ等の構成要素を含み圧縮空気を供給する機能を備えたコンプレッサ本体２１と、使用時に外部電源（例えば、車両のシガーソケット）と接続されてコンプレッサ本体２１に電力を供給するための電源ケーブル２２とで構成される。尚、図示の例では、コンプレッサ本体２１は後述の筐体５０に収納されており、電源ケーブル２２はコンプレッサ本体２１に接続されて筐体５０の外部に延長している。
【００１５】
パンク修理キットとしては、図２に示すように、容器１０がホース３０を介してタイヤＴのみと接続されて、使用者が容器１０を図の矢印方向に圧搾することでタイヤＴ内にパンク修理液を送り込むタイプのパンク修理キット１’（所謂、手絞りタイプのパンク修理キット１’）も知られているが、このような手絞りタイプのパンク修理キット１’であっても、パンク修理が済んだ空気入りタイヤＴに空気を充填するためのコンプレッサ２０（不図示）を含んでいる。手絞りタイプのパンク修理キット１’に含まれるコンプレッサ２０も前述のコンプレッサ本体２１と電源ケーブル２２とで構成される。
【００１６】
いずれの場合もコンプレッサ２０の電源ケーブル２２は、ケーブル本体２２Ａと接続端子２２Ｂとで構成される。ケーブル本体２２Ａは、一端がコンプレッサ本体２１に接続され、他端に接続端子２２Ｂが設けられる。電源ケーブル２２（ケーブル本体２２Ａ）は例えば２．５ｍ〜３．５ｍの長さを有する。
【００１７】
本発明のパンク修理キット１は、電源ケーブル２２（少なくともケーブル本体２２Ａの部分）を巻き取るための巻取具４０を備えている。巻取具４０は、電源ケーブル２２を巻き取ることで、電源ケーブル２２を収納に適した所定の巻き取り形状にまとめることができるものであれば、その構造は特に限定されない。例えば、図３に示す巻取具４０は、図３（ａ）に示すように、円柱状の巻取部４１とその両端に設けられた円盤状のフランジ４２とで構成されており、図３（ｂ）に示すように、電源ケーブル２２は巻取部４１の周囲かつ一対のフランジ４２間に巻き取られる。或いは、図４に示す巻取具４０は、図４（ａ）に示すように、板状の巻取部４１とその両端に設けられた板状のフランジ４２とで構成されており、図４（ｂ）に示すように、電源ケーブル２２は巻取部４１の周囲かつ一対のフランジ４２間に巻き取られる。或いは、図５に示す巻取具４０は、図５（ａ）に示すように、板状の土台４３上に所定の間隔をおいて配置された一対のフック状の巻取部４１で構成されており、図５（ｂ）に示すように、電源ケーブル２２は一対の巻取部４１巻に掛け回されるようにして巻き取られる。
【００１８】
このように本発明のパンク修理キットは巻取具４０を備えているので、使用者は電源ケーブル２２を巻取具４０に対して巻き付けることで、電源ケーブル２２を容易にまとめることができる。このとき、巻き取られた電源ケーブル２２は、巻取具４０に対して巻き取られた所定の巻き取り状態に収まるので、従来のように使用者が任意の方法で電源ケーブル２２を収納する場合に比べて、電源ケーブル２２を容易にコンパクトにまとめることが可能になる。
【００１９】
巻取具４０の巻取部４１には、電源ケーブル２２の断面形状に対応する溝を設けたり、巻取部４１の表面に電源ケーブル２２の断面形状に対応した波型加工を施すことで、電源ケーブル２２を巻き取る際に、電源ケーブルが適正な位置にガイドされるようにすることもできる。
【００２０】
本発明のパンク修理キットにおけるコンプレッサ２０について、ポンプ等の構成要素（コンプレッサ本体２１）を筐体５０の中に収納した仕様にすることもできる。或いは、パンク修理キットにおいて、容器１０とコンプレッサ本体２１とを筐体５０に収めて、筐体５０内でこれらを接続してパンク修理キット全体を一体化した仕様にすることもできる。このようにパンク修理キットが筐体５０を含む場合（パンク修理キット１が構成要素の一部またはすべてを筐体５０内に収容した仕様である場合）、図６に示すように、筐体５０（図示の例ではコンプレッサ本体２１を内蔵）に電源ケーブル２２を巻き取った状態の巻取具４０を収容するための収容部５１を設けてもよい。図６の例では、収容部５１は電源ケーブル２２を巻き取った状態の巻取具４０を収納可能な孔として設けられており、電源ケーブル２２を巻き取った状態の巻取具４０を図の矢印方向に挿入することで、巻取具を収納することができる。このような仕様では、パンク修理キットの使用後に、電源ケーブル２２が巻取具４０に巻き取られて収容部５１に収納された状態（即ち、新品時と同じ状態）に復元することが容易になり、パンク修理キット全体の収納性を高めることができる。尚、図６では、電源ケーブル２２（ケーブル本体２２Ａ）を巻き取った状態の巻取具４０と収容部５１との関係が明確になるように、接続端子２２Ｂは省略して示している。
【００２１】
電源ケーブル２２は前述のようにケーブル本体２２Ａと接続端子２２Ｂとを含むが、電源ケーブル２２を巻取具４０に巻き取る際には少なくともケーブル本体２２Ａが巻き取られていればよい。このとき接続端子２２Ｂは任意の位置に置くことができるが、例えば図７に示すように、巻取具４０に接続端子２２Ｂを着脱自在に保持する保持部６０を設けて、電源ケーブル２２を巻取具４０に巻き取った際に接続端子２２Ｂも保持するようにしてもよい。この図７の例では、図３と共通の構造を有する巻取具４０のフランジ４２の外面に、接続端子２２Ｂを挟み込む一対の保持部６０が形成されている。或いは、接続端子２２Ｂの先端を挿入可能な形状の窪みを設けてもよい。
【００２２】
また、接続端子２２Ｂについて、前述のようにパンク修理キットが筐体５０を含む場合、筐体５０に設けた前述の収容部５１に電源ケーブル２２を巻き取った巻取具４０と共に接続端子２２Ｂを収容するようにしてもよい。或いは、図８に示すように、筐体５０に巻取具４０用の収容部５１と別に接続端子２２Ｂ用の収納部６０を設けてもよい。図８の例では、接続端子２２Ｂに対応する形状の窪み状であって、接続端子２２Ｂを図の矢印方向に嵌め込むことで接続端子２２Ｂを収納可能な収容部６０が設けられている。尚、図８では、収納部５１や収納部６０の構造が明確になるように、筐体５０内に含まれるパンク修理キットの他の構成要素やコンプレッサ本体２１と電源ケーブル２２との接続箇所は省略して示している。
【００２３】
巻取具４０は、電源ケーブル２２を巻き取った状態では、逆にコンプレッサ本体２１から連なる電源ケーブル２２によって保持されることになるが、パンク修理キット１の使用時に一旦電源ケーブル２２をすべて巻き出すと、巻取具４０はパンク修理キット１の他の構成要素（容器１０やコンプレッサ２０等）から離間してしまい作業中に紛失する虞がある。そこで、巻取具４０をケーブル本体２２Ａに着脱自在に取り付けるようにして、パンク修理キット１の使用時（即ち、巻取具４０を使用していないとき）には巻取具４０をケーブル本体２２Ａに係止するようにしてもよい。
【００２４】
尚、前述のようにパンク修理キット１が筐体５０を含み、この筐体５０に巻取具４０を収める収容部５１が設けられている場合、図９に示すように、巻取具４０を筐体５０と一体化してもよい。図９の例では、巻取具４０は図５の例と同様に土台４３と巻取部４１とで構成されているが、土台４３の一端を軸４３Ａとして図中の矢印方向に回転可能に収容部の縁に取り付けられている。そのため、図９（ａ）に示すように電源ケーブル２２を巻取具４０に巻き取った後、軸４３Ａを中心に回転させるように倒し込むことで、図９（ｂ）に示すように電源ケーブル２２を巻き取った巻取具４０を収容部５１内に収めることができる。尚、図９では、巻取具４０（土台４３）と収容部５１との関係が明確になるように、筐体５０内に含まれるパンク修理キットの他の構成要素やコンプレッサ本体２１と電源ケーブル２２との接続は省略して示している。
【００２５】
本発明では、パンク修理キット使用後の電源ケーブル２２の巻き取り作業は使用者が行うことになる。そのため、電源ケーブル２２を適切に収納するために巻き取るべき領域を使用者に提示して、その領域を確実に巻き取るように促すことが好ましい。具体的には、ケーブル本体２２Ａを巻取具４０に巻き取った際に巻取具４０に巻き取られる範囲を示す目印を前記ケーブル本体２２Ａに付与するとよい。このような目印は様々な態様を採用することができるが、少なくともケーブル本体２２Ａの巻き取られる範囲の端部が明確になれば、巻き取る範囲を使用者に伝達することができるので、例えばこの端部位置にケーブル本体２２Ａの外表面と異なる色のテープ等を巻き付けたり、ケーブル本体２２Ａと異なる色のラインを設けることができる。
【符号の説明】
【００２６】
１  パンク修理キット
１０  容器
２０  コンプレッサ
２１  コンプレッサ本体
２２  電源ケーブル
２２Ａ  ケーブル本体
２２Ｂ  接続端子
３０  ホース
４０  巻取具
５０  筐体
５１  収容部
Ｔ  タイヤ
Ｔｂ  タイヤバルブ
【図１】
2018015956.tif 000003
【図２】
2018015956.tif 000004
【図３】
2018015956.tif 000005
【図４】
2018015956.tif 000006
【図５】
2018015956.tif 000007
【図６】
2018015956.tif 000008
【図７】
2018015956.tif 000009
【図８】
2018015956.tif 000010
【図９】
2018015956.tif 000011